(57)【要約】【課題】様々な電気光学パネルに対応した場合にも適正な表示画像を得ることができる集積回路装置等の提供。【解決手段】集積回路装置は駆動回路と制御回路を含み、制御回路はアドレス制御回路を含む。表示メモリーには電気光学パネルの第１、第２の表示領域の表示データを記憶する第１、第２のメモリー領域ＭＲ１、ＭＲ２が確保される。アドレス制御回路は、第１の表示モードでは第１、第２のメモリー領域ＭＲ１、ＭＲ２のアドレスを、第１のアドレスＡＤ１から第ＮのアドレスＡＤＮへと変化させて、表示データを読み出し、第２の表示モードでは、第１のメモリー領域ＭＲ１のアドレスについては第１のアドレスＡＤ１から第ＮのアドレスＡＤＮへと変化させ、第２のメモリー領域ＭＲ２のアドレスについては第ＮのアドレスＡＤＮから第１のアドレスＡＤ１へと変化させて表示データを読み出す。【選択図】図６
2010181707.tif 000002
【特許請求の範囲】
【請求項１】
電気光学パネルを駆動する駆動回路と、
前記駆動回路の制御を行う制御回路とを含み、
前記制御回路は、
表示データを記憶する表示メモリーのアドレス制御を行うアドレス制御回路を含み、
前記表示メモリーには、前記電気光学パネルの第１の表示領域の表示データを記憶する第１のメモリー領域と、前記電気光学パネルの第２の表示領域の表示データを記憶する第２のメモリー領域とが確保され、
前記アドレス制御回路は、
第１の表示モードでは、前記第１のメモリー領域と前記第２のメモリー領域のアドレスを、第１のアドレスから第Ｎのアドレス（Ｎは２以上の整数）へと変化させて、表示データを読み出し、
第２の表示モードでは、前記第１のメモリー領域のアドレスについては、前記第１のアドレスから前記第Ｎのアドレスへと変化させ、前記第２のメモリー領域のアドレスについては、前記第Ｎのアドレスから前記第１のアドレスへと変化させて、表示データを読み出すことを特徴とする集積回路装置。
【請求項２】
請求項１において、
前記制御回路は、
前記第１の表示モードでは、前記第１の表示領域の第１のデータ線〜第Ｋのデータ線（Ｋは２以上の整数）に対して、第１の表示データ〜第Ｋの表示データに基づくデータ線信号が供給され、前記第２の表示領域の第Ｋ＋１のデータ線〜第Ｌのデータ線（Ｌは２以上の整数）に対して、第Ｋ＋１の表示データ〜第Ｌの表示データに基づくデータ線信号が供給されるように制御し、
第３の表示モードでは、前記第１の表示領域の前記第１のデータ線〜前記第Ｋのデータ線に対して、前記第１の表示データ〜前記第Ｋの表示データに基づくデータ線信号が供給され、前記第２の表示領域の前記第Ｋ＋１のデータ線〜前記第Ｌのデータ線に対して、前記第Ｌの表示データ〜前記第Ｋ＋１の表示データに基づくデータ線信号が供給されるように制御することを特徴とする集積回路装置。
【請求項３】
請求項１又は２において、
前記電気光学パネルは、データ線としてセグメント線が設けられ、走査線としてコモン線が設けられるパネルであり、
前記駆動回路は、
コモン信号又はセグメント信号を出力する第１の出力セル〜第ｎの出力セル（ｎは２以上の整数）を含み、
第１の出力モードでは、
前記第１の出力セル〜前記第ｎの出力セルのうちの前記第１の出力セル〜第ｉの出力セルがコモン信号を出力し、前記第１の出力セル〜前記第ｎの出力セルのうちの第ｊの出力セル〜第ｋの出力セル（１＜ｉ≦ｊ＜ｋ）がセグメント信号を出力し、
第２の出力モードでは、
前記第１の出力セル〜前記第ｉの出力セルがセグメント信号を出力し、前記第ｊの出力セル〜前記第ｋの出力セルがコモン信号を出力することを特徴とする集積回路装置。
【請求項４】
請求項３において、
前記第１の出力モードでは、
前記第１の出力セル〜前記第ｉの出力セル及び第ｍの出力セル〜前記第ｎの出力セル（ｋ＜ｍ＜ｎ）がコモン信号を出力し、第ｉ＋１の出力セル〜第ｍ−１の出力セルがセグメント信号を出力し、
前記第２の出力モードでは、
前記第１の出力セル〜第ｊ−１の出力セル及び第ｋ＋１の出力セル〜前記第ｎの出力セルがセグメント信号を出力し、前記第ｊの出力セル〜前記第ｋの出力セルがコモン信号を出力することを特徴とする集積回路装置。
【請求項５】
請求項３又は４において、
前記第１の出力セル〜前記第ｉの出力セルは、前記制御回路からの第１の切り替え信号に基づいて、コモン出力とセグメント出力の切り替え制御が行われ、前記第ｊの出力セル〜前記第ｋの出力セルは、前記制御回路からの第２の切り替え信号に基づいて、コモン出力とセグメント出力の切り替え制御が行われることを特徴とする集積回路装置。
【請求項６】
請求項３乃至５のいずれかにおいて、
前記第１の出力セル〜前記第ｉの出力セル及び前記第ｊの出力セル〜前記第ｋの出力セルの各出力セルは、コモン出力とセグメント出力の切り替え制御が可能なコモン／セグメント兼用出力セルであることを特徴とする集積回路装置。
【請求項７】
請求項６において、
前記コモン／セグメント兼用出力セルは、
高電位側コモン電源電圧が一端の端子に供給される第１のスイッチ素子と、
低電位側コモン電源電圧が一端の端子に供給される第２のスイッチ素子と、
高電位側セグメント電源電圧が一端の端子に供給される第３のスイッチ素子と、
低電位側セグメント電源電圧が一端の端子に供給される第４のスイッチ素子を含み、
前記第１のスイッチ素子、前記第２のスイッチ素子、前記第３のスイッチ素子、前記第４のスイッチ素子の他端の端子は共通接続され、
コモン信号出力時には、前記第３のスイッチ素子及び前記第４のスイッチ素子がオフになると共に、前記第１のスイッチ素子及び前記第２のスイッチ素子がコモンデータに基づいてオン・オフ制御され、
セグメント信号出力時には、前記第１のスイッチ素子及び前記第２のスイッチ素子がオフになると共に、前記第３のスイッチ素子及び前記第４のスイッチ素子がセグメントデータに基づいてオン・オフ制御されることを特徴とする集積回路装置。
【請求項８】
請求項７において、
コモン用及びセグメント用の複数の電源電圧が供給され、前記複数の電源電圧の中から前記高電位側コモン電源電圧、前記低電位側コモン電源電圧、前記高電位側セグメント電源電圧、前記低電位側セグメント電源電圧を選択し、選択された前記高電位側コモン電源電圧、前記低電位側コモン電源電圧、前記高電位側セグメント電源電圧、前記低電位側セグメント電源電圧を、各々、第１の電源線、第２の電源線、第３の電源線、第４の電源線に供給する電源選択回路を含むことを特徴とする集積回路装置。
【請求項９】
請求項８において、
前記電源選択回路は、
前記第１の電源線、前記第２の電源線、前記第３の電源線、前記第４の電源線に供給する前記高電位側コモン電源電圧、前記低電位側コモン電源電圧、前記高電位側セグメント電源電圧、前記低電位側セグメント電源電圧を、フレーム信号に基づいて選択することを特徴とする集積回路装置。
【請求項１０】
請求項３乃至９のいずれかにおいて、
前記制御回路は、
コモンデータの出力制御を行うコモン制御回路と、
セグメントデータの出力制御を行うセグメント制御回路と、
前記第１の出力セル〜前記第ｎの出力セルの入力データ信号に対して、前記コモンデータ又は前記セグメントデータの信号を割り付ける処理を行う割り付け回路を含むことを特徴とする集積回路装置。
【請求項１１】
請求項１乃至１０のいずれかに記載の集積回路装置を含むことを特徴とする電子機器。
【発明の詳細な説明】
【技術分野】
【０００１】
本発明は、集積回路装置及び電子機器等に関する。
【背景技術】
【０００２】
マイクロコンピューターなどの集積回路装置では、ＬＣＤ（Liquid Crystal Displayパネル等の電気光学パネルを駆動するための回路を内蔵するものがある。コモン線とセグメント線を備える単純マトリックス方式（パッシブ方式）の電気光学パネルを例にとれば、集積回路装置は、コモン信号とセグメント信号を生成して、電気光学パネルに供給する。これにより電気光学パネルには、数字やアルファベットなどの文字が表示される。このような集積回路装置の従来技術としては例えば特許文献１に開示される技術がある。
【０００３】
しかしながら、このような集積回路装置では、様々な実装形態の電気光学パネルに対応しようとした場合に、表示される文字が上下反転して見えたり、左右反転して見えるなどの事態が生じ、適正な表示画像を得ることができないという問題があることが判明した。
【先行技術文献】
【特許文献】
【０００４】
【特許文献１】特開平６−２２２３２７号公報
【発明の概要】
【発明が解決しようとする課題】
【０００５】
本発明の幾つかの態様によれば、様々な電気光学パネルに対応した場合にも適正な表示画像を得ることができる集積回路装置及び電子機器等を提供できる。
【課題を解決するための手段】
【０００６】
本発明の一態様は、電気光学パネルを駆動する駆動回路と、前記駆動回路の制御を行う制御回路とを含み、前記制御回路は、表示データを記憶する表示メモリーのアドレス制御を行うアドレス制御回路を含み、前記表示メモリーには、前記電気光学パネルの第１の表示領域の表示データを記憶する第１のメモリー領域と、前記電気光学パネルの第２の表示領域の表示データを記憶する第２のメモリー領域とが確保され、前記アドレス制御回路は、第１の表示モードでは、前記第１のメモリー領域と前記第２のメモリー領域のアドレスを、第１のアドレスから第Ｎのアドレス（Ｎは２以上の整数）へと変化させて、表示データを読み出し、第２の表示モードでは、前記第１のメモリー領域のアドレスについては、前記第１のアドレスから前記第Ｎのアドレスへと変化させ、前記第２のメモリー領域のアドレスについては、前記第Ｎのアドレスから前記第１のアドレスへと変化させて、表示データを読み出す集積回路装置に関係する。
【０００７】
本発明の一態様によれば、電気光学パネルの第１の表示領域（第１のパネル）に対応する第１のメモリー領域と、電気光学パネルの第２の表示領域（第２のパネル）に対応する第２のメモリー領域が、表示メモリーに確保される。そして第１の表示モードでは、第１、第２のメモリー領域のアドレスを、第１のアドレスから第Ｎのアドレスへと変化させて、表示データが読み出される。一方、第２の表示モードでは、第２のメモリー領域のアドレスを、第Ｎのアドレスから第１のアドレスへと変化させて、表示データが読み出される。従って、第１の表示領域と第２の表示領域とで画像が上下反転等して表示されてしまう事態を防止でき、様々な電気光学パネルに対応した場合にも適正な表示画像を得ることが可能になる。
【０００８】
また本発明の一態様では、前記制御回路は、前記第１の表示モードでは、前記第１の表示領域の第１のデータ線〜第Ｋのデータ線（Ｋは２以上の整数）に対して、第１の表示データ〜第Ｋの表示データに基づくデータ線信号が供給され、前記第２の表示領域の第Ｋ＋１のデータ線〜第Ｌのデータ線（Ｌは２以上の整数）に対して、第Ｋ＋１の表示データ〜第Ｌの表示データに基づくデータ線信号が供給されるように制御し、第３の表示モードでは、前記第１の表示領域の前記第１のデータ線〜前記第Ｋのデータ線に対して、前記第１の表示データ〜前記第Ｋの表示データに基づくデータ線信号が供給され、前記第２の表示領域の前記第Ｋ＋１のデータ線〜前記第Ｌのデータ線に対して、前記第Ｌの表示データ〜前記第Ｋ＋１の表示データに基づくデータ線信号が供給されるように制御してもよい。
【０００９】
このようにすれば、第１の表示領域と第２の表示領域とで画像が左右反転等して表示されてしまう事態を防止でき、様々な電気光学パネルに対応した場合にも適正な表示画像を得ることが可能になる。
【００１０】
また本発明の一態様では、前記電気光学パネルは、データ線としてセグメント線が設けられ、走査線としてコモン線が設けられるパネルであり、前記駆動回路は、コモン信号又はセグメント信号を出力する第１の出力セル〜第ｎの出力セル（ｎは２以上の整数）を含み、第１の出力モードでは、前記第１の出力セル〜前記第ｎの出力セルのうちの前記第１の出力セル〜第ｉの出力セルがコモン信号を出力し、前記第１の出力セル〜前記第ｎの出力セルのうちの第ｊの出力セル〜第ｋの出力セル（１＜ｉ≦ｊ＜ｋ）がセグメント信号を出力し、第２の出力モードでは、前記第１の出力セル〜前記第ｉの出力セルがセグメント信号を出力し、前記第ｊの出力セル〜前記第ｋの出力セルがコモン信号を出力するようにしてもよい。
【００１１】
本発明の一態様では、第１〜第ｎの出力セルは制御回路により制御され、第１の出力モードでは、第１〜第ｉの出力セルがコモン信号を出力し、第ｊ〜第ｋの出力セルがセグメント信号を出力するようになる。一方、第２の出力モードでは、第１〜第ｉの出力セルがセグメント信号を出力し、第ｊ〜第ｋの出力セルがコモン信号を出力するようになる。このようにすれば、コモン信号を出力する出力セルを切り替えることが可能になり、様々な電気光学パネルに対応可能な集積回路装置等を提供できる。
【００１２】
また本発明の一態様では、前記第１の出力モードでは、前記第１の出力セル〜前記第ｉの出力セル及び第ｍの出力セル〜前記第ｎの出力セル（ｋ＜ｍ＜ｎ）がコモン信号を出力し、第ｉ＋１の出力セル〜第ｍ−１の出力セルがセグメント信号を出力し、前記第２の出力モードでは、前記第１の出力セル〜第ｊ−１の出力セル及び第ｋ＋１の出力セル〜前記第ｎの出力セルがセグメント信号を出力し、前記第ｊの出力セル〜前記第ｋの出力セルがコモン信号を出力してもよい。
【００１３】
このようにすれば、第１の出力モードでは、第１〜第ｉの出力セル及び第ｍ〜第ｎの出力セルがコモン信号を出力し、第２の出力モードでは、第ｊ〜第ｋの出力セルがコモン信号を出力するようになる。従って、第１の出力モードでは、例えば出力セル領域のサイド領域の出力セルにコモン信号を出力させ、第２の出力モードでは、出力セル領域の中央領域（中間領域）の出力セルにコモン信号を出力させることなどが可能になる。
【００１４】
また本発明の一態様では、前記第１の出力セル〜前記第ｉの出力セルは、前記制御回路からの第１の切り替え信号に基づいて、コモン出力とセグメント出力の切り替え制御が行われ、前記第ｊの出力セル〜前記第ｋの出力セルは、前記制御回路からの第２の切り替え信号に基づいて、コモン出力とセグメント出力の切り替え制御が行われてもよい。
【００１５】
このようにすれば、第１、第２の切り替え信号を用いた簡素な処理で、コモン出力とセグメント出力の切り替え制御を実現できる。
【００１６】
また本発明の一態様では、前記第１の出力セル〜前記第ｉの出力セル及び前記第ｊの出力セル〜前記第ｋの出力セルの各出力セルは、コモン出力とセグメント出力の切り替え制御が可能なコモン／セグメント兼用出力セルであってもよい。
【００１７】
このようにすれば、コモン／セグメント兼用出力セルを有効活用して、コモン出力とセグメント出力の切り替え制御を実現できる。
【００１８】
また本発明の一態様では、前記コモン／セグメント兼用出力セルは、高電位側コモン電源電圧が一端の端子に供給される第１のスイッチ素子と、低電位側コモン電源電圧が一端の端子に供給される第２のスイッチ素子と、高電位側セグメント電源電圧が一端の端子に供給される第３のスイッチ素子と、低電位側セグメント電源電圧が一端の端子に供給される第４のスイッチ素子を含み、前記第１のスイッチ素子、前記第２のスイッチ素子、前記第３のスイッチ素子、前記第４のスイッチ素子の他端の端子は共通接続され、コモン信号出力時には、前記第３のスイッチ素子及び前記第４のスイッチ素子がオフになると共に、前記第１のスイッチ素子及び前記第２のスイッチ素子がコモンデータに基づいてオン・オフ制御され、セグメント信号出力時には、前記第１のスイッチ素子及び前記第２のスイッチ素子がオフになると共に、前記第３のスイッチ素子及び前記第４のスイッチ素子がセグメントデータに基づいてオン・オフ制御されてもよい。
【００１９】
このようにすれば、各出力セルに設けられるスイッチ素子の個数を減らすことなどが可能になり、集積回路装置の小規模化等を図れる。
【００２０】
また本発明の一態様では、コモン用及びセグメント用の複数の電源電圧が供給され、前記複数の電源電圧の中から前記高電位側コモン電源電圧、前記低電位側コモン電源電圧、前記高電位側セグメント電源電圧、前記低電位側セグメント電源電圧を選択し、選択された前記高電位側コモン電源電圧、前記低電位側コモン電源電圧、前記高電位側セグメント電源電圧、前記低電位側セグメント電源電圧を、各々、第１の電源線、第２の電源線、第３の電源線、第４の電源線に供給する電源選択回路を含んでもよい。
【００２１】
このようにすれば、高電位側コモン電源電圧、低電位側コモン電源電圧、高電位側セグメント電源電圧、低電位側セグメント電源電圧の選択が、電源選択回路により予め行われるため、出力セルのスイッチ素子の個数の低減等を図れる。
【００２２】
また本発明の一態様では、前記電源選択回路は、前記第１の電源線、前記第２の電源線、前記第３の電源線、前記第４の電源線に供給する前記高電位側コモン電源電圧、前記低電位側コモン電源電圧、前記高電位側セグメント電源電圧、前記低電位側セグメント電源電圧を、フレーム信号に基づいて選択してもよい。
【００２３】
このようにすれば、各フレーム毎に異なる電圧になる高電位側コモン電源電圧、低電位側コモン電源電圧、高電位側セグメント電源電圧、低電位側セグメント電源電圧を、第１、第２、第３、第４の電源線に供給することが可能になる。
【００２４】
また本発明の一態様では、前記制御回路は、コモンデータの出力制御を行うコモン制御回路と、セグメントデータの出力制御を行うセグメント制御回路と、前記第１の出力セル〜前記第ｎの出力セルの入力データ信号に対して、前記コモンデータ又は前記セグメントデータの信号を割り付ける処理を行う割り付け回路を含んでもよい。
【００２５】
このようにすれば、電気光学パネルの各種実装形態等に応じて、コモン信号を出力する出力セルの切り替え制御を行う場合にも、これに容易に対応できるようになる。
【００２６】
また本発明の他の態様は、上記のいずれかに記載の集積回路装置を含む電子機器に関係する。
【図面の簡単な説明】
【００２７】
【図１】図１（Ａ）、図１（Ｂ）は第１、第２の表示領域を有する電気光学パネルの説明図。
【図２】図２（Ａ）、図２（Ｂ）はタイプＡ、タイプＢの電気光学パネルの例。
【図３】タイプＣの電気光学パネルの例。
【図４】図４（Ａ）〜図４（Ｃ）は、文字が上下反転したり左右反転して表示される問題についての説明図。
【図５】本実施形態の集積回路装置の構成例。
【図６】図６（Ａ）、図６（Ｂ）は本実施形態のアドレス制御手法の説明図。
【図７】図７（Ａ）、図７（Ｂ）は本実施形態の表示データの制御手法の説明図。
【図８】図８（Ａ）、図８（Ｂ）は本実施形態の集積回路装置の出力モードの切り替え手法の説明図。
【図９】図９（Ａ）、図９（Ｂ）は出力モードの切り替え手法の具体例の説明図。
【図１０】図１０（Ａ）〜図１０（Ｄ）は出力モードの切り替え手法の他の例の説明図。
【図１１】図１１（Ａ）、図１１（Ｂ）は本実施形態の集積回路装置の詳細な構成例及びその出力モードの切り替え手法の説明図。
【図１２】集積回路装置と電気光学パネルの実装形態の例。
【図１３】集積回路装置と電気光学パネルの実装形態の例。
【図１４】集積回路装置と電気光学パネルの実装形態の例。
【図１５】出力セル、電源選択回路の構成例。
【図１６】コモン信号、セグメント信号の波形例。
【図１７】制御回路の構成例。
【図１８】電子機器の構成例。
【発明を実施するための形態】
【００２８】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。
【００２９】
１．電気光学パネル
図１（Ａ）に電気光学パネル（電気光学装置）の例を示す。この電気光学パネルは、３２本のコモン線（ＣＯＭ１〜ＣＯＭ３２）と１２８本のセグメント線（ＳＥＧ１〜ＳＥＧ１２８）を有し、数字、アルファベットなどの文字やアイコンを表示する１２８×３２（１２８ＳＥＧ×３２ＣＯＭ）のパネルである。この電気光学パネル（液晶表示パネル）は、いわゆる電圧平均化法により駆動される。電圧平均化法は、液晶の光学応答の定常状態では透過率が印加電圧の実効値に依存することを利用した駆動方法である。
【００３０】
このような電気光学パネルでは、表示領域を大きくするためにコモン線（コモン電極）の本数を増やすと、コモン電圧を高くする必要がある。例えば図１（Ａ）のようなセグメント線が１２８本でありコモン線が３２本の１２８×３２のパネルでは、コモン電圧（最大コモン電圧）は例えば４〜６Ｖ程度で済む。
【００３１】
ところが、コモン線の本数を６４本に増やして、１２８×６４のパネルにすると、例えば７〜１０Ｖ程度のコモン電圧が必要になる。そしてコモン電圧が高くなると、消費電力の増加を招く。
【００３２】
このため図１（Ｂ）の電気光学パネルでは、セグメント線が６４本でありコモン線が３２本である第１の表示領域ＲＤ１（第１のパネル）と第２の表示領域ＲＤ２（第２のパネル）に分割してコモン方向に並べている。このようにすれば、コモン線の本数が３２本で済むため、コモン電圧の大きさを図１（Ａ）の１２８×３２の電気光学パネルと同等にすることができる。また表示領域ＲＤ１、ＲＤ２をコモン方向に並べることで、コモン方向での表示領域を大きくできるため、コモン線の本数を６４本とした場合と同等の表示領域を実現でき、擬似的な６４×６４（６４ＣＯＭ×６４ＳＥＧ）の電気光学パネルをエミュレーションできる。
【００３３】
ところが、このように第１、第２の表示領域ＲＤ１、ＲＤ２（第１、第２のパネル）に分割された電気光学パネルとしては、コモン端子の位置や、セグメント端子の位置や、基板での配線パターンが異なる様々なタイプのパネルが考えられる。一例として図２（Ａ）、図２（Ｂ）、図３に、各々、タイプＡ、タイプＢ、タイプＣのパネル例を示す。
【００３４】
例えば図２（Ａ）のタイプＡでは、セグメント端子（ＳＥＧ1〜ＳＥＧ６４）の両側にコモン端子（ＣＯＭ１〜ＣＯＭ１６、ＣＯＭ３２〜ＣＯＭ１７）が設けられている。一方、図２（Ｂ）のタイプＢでは、セグメント端子（ＳＥＧ６５〜ＳＥＧ１２８又はＳＥＧ１〜ＳＥＧ６４）の左側にだけコモン端子（ＣＯＭ１７〜ＣＯＭ３２又はＣＯＭ１６〜ＣＯＭ１）が設けられている。またこのタイプＢではＥ１に示すように、表示領域ＲＤ１のパネルからのコモン信号を表示領域ＲＤ２のパネルに供給するための折り返し配線が、基板上に配線されている。
【００３５】
図３のタイプＣでは、コモン端子（ＣＯＭ１〜ＣＯＭ３２）の両側にセグメント端子（ＳＥＧ１〜ＳＥＧ６４、ＳＥＧ６５〜ＳＥＧ１２８）が配置されている。またこのタイプＣでもＥ２に示すように、表示領域ＲＤ１のパネルからのコモン信号を表示領域ＲＤ２のパネルに供給するための折り返し配線が、基板上に配線されている。
【００３６】
２．構成
以上のように、コモン電圧を小さくして低消費電力化を図るために第１、第２の表示領域ＲＤ１、ＲＤ２に分割された電気光学パネルでは、端子パターンや配線パターンとして様々なパターンが考えられる。従って電気光学パネルの駆動回路を備える集積回路装置が、例えば図２（Ａ）のタイプＡに対しては対応できたとしても、図２（Ｂ）のタイプＢや図３のタイプＣには対応できないおそれがある。
【００３７】
例えば図２（Ａ）のタイプＡの電気光学パネルでは、第１の表示領域ＲＤ１でのコモン線（コモン電極）Ｃ１〜Ｃ３２の並びの順序と、第２の表示領域ＲＤ２でのコモン線Ｃ１〜Ｃ３２の並びの順序は同じになっている。即ち下側から昇順に並んでいる。また第１の表示領域ＲＤ１でのセグメント線（セグメント電極）Ｓ１〜Ｓ６４の並びの順序と、第２の表示領域ＲＤ２でのセグメント線Ｓ６５〜Ｓ１２８の並びの順序も同じになっている。即ち左側から昇順に並んでいる。
【００３８】
ところが図２（Ｂ）のタイプＢの電気光学パネルでは、第１の表示領域ＲＤ１でのコモン線Ｃ１〜Ｃ３２の並びの順序と、第２の表示領域ＲＤ２でのコモン線Ｃ１〜Ｃ３２の並びの順序が異なっている。即ち第１の表示領域ＲＤ１では下側から昇順にコモン線Ｃ１〜Ｃ３２が並んでいるが、第２の表示領域ＲＤ２では上側から昇順にコモン線Ｃ１〜Ｃ３２が並んでいる。
【００３９】
従って図２（Ａ）のタイプＡの電気光学パネルでは、図４（Ａ）に示すように正常に文字を表示できたとしても、図２（Ｂ）のタイプＢの電気光学パネルでは、図４（Ｂ）に示すように文字が上下反転して表示されてしまう。
【００４０】
更に図３のタイプＣの電気光学パネルでは、第１の表示領域ＲＤ１でのセグメント線Ｓ１〜Ｓ６４の並びの順序と、第２の表示領域ＲＤ２でのセグメント線Ｓ６５〜Ｓ１２８の並びの順序についても異なっている。即ち第１の表示領域ＲＤ１では左側から昇順にセグメント線Ｓ１〜Ｓ６４が並んでいるが、第２の表示領域ＲＤ２では右側から昇順にセグメント線Ｓ６５〜Ｓ１２８が並んでいる。つまりコモン線及びセグメント線の両方の並びの順序が異なっている。
【００４１】
従って図２（Ａ）のタイプＡの電気光学パネルでは、図４（Ａ）に示すように正常に文字を表示できたとしても、図３のタイプＣの電気光学パネルでは、図４（Ｃ）に示すように文字が上下反転すると共に左右反転して表示されてしまう。
【００４２】
そこで本実施形態の集積回路装置では、このような様々な電気光学パネルに対応するために、表示メモリーのアドレス制御や表示データの出力制御を変更する手法を採用している。このような本実施形態の集積回路装置の構成及び手法について、図５〜図７（Ｂ）を用いて説明する。
【００４３】
図５に示すように本実施形態の集積回路装置は、駆動回路１１０、制御回路１０を含む。また表示メモリー４０を含むことができる。
【００４４】
駆動回路１１０は、電気光学パネル２１０を駆動する回路である。この駆動回路１１０は、後述するようにコモン信号又はセグメント信号を出力する複数の出力セルにより構成できる。そしてこの場合には電気光学パネル２１０に対してコモン信号（広義には走査線信号）、セグメント信号（広義にはデータ線信号）を供給することで、電気光学パネル２１０を駆動することになる。
【００４５】
なお本実施形態の集積回路装置は、電圧平均化法等を用いたパッシブ方式（単純マトリックスタイプ）の電気光学パネルに対して好適に適用できるが、アクティブ方式（アクティブマトリックスタイプ）の電気光学パネルにも適用することは可能である。このため図５〜図７（Ｂ）では、電気光学装置２１０がデータ線（狭義にはセグメント線、ソース線）と走査線（狭義にはコモン線、ゲート線）を有するものとして説明を行う。
【００４６】
表示メモリー４０（ＶＲＡＭ、画像メモリー）は、表示データ（画像データ）を記憶する。表示メモリー４０から読み出された表示データは制御回路１０に出力される。そして、表示メモリー４０からの表示データの読み出しや、表示メモリーへの書き込みは、制御回路１０のアドレス制御回路４２からのアドレス信号等に基づいて行われる。なお表示メモリー４０は集積回路装置の内部に設けてもよいし、外部に設けてもよい。
【００４７】
制御回路１０は、集積回路装置の各回路を制御するものであり、本実施形態では駆動回路１１０の制御を行う。この制御回路１０は、アドレス制御回路４２、左右反転回路３２を含む。
【００４８】
アドレス制御回路４２は、表示メモリー４０のアドレス制御を行う。即ち表示メモリー４０から表示データを読み出したり、表示メモリー４０に表示データを書き込むためのアドレス信号を出力する。
【００４９】
そして本実施形態では図６（Ａ）に示すように、表示メモリー４０には、電気光学パネル２１０（電気光学装置、電気光学モジュール）の第１の表示領域ＲＤ１の表示データを記憶する第１のメモリー領域ＭＲ１と、電気光学パネル２１０の第２の表示領域ＲＤ２の表示データを記憶する第２のメモリー領域ＭＲ２とが確保される。これにより、第１のメモリー領域ＭＲ１に書き込まれた表示データに対応する画像が、第１の表示領域ＲＤ１に表示され、第２のメモリー領域ＭＲ２に書き込まれた表示データに対応する画像が第２の表示領域ＲＤ２に表示されるようになる。例えば第１、第２のメモリー領域ＭＲ１、ＭＲ２に対して、「Ｆ」の文字に対応する表示データを書き込むと、第１、第２の表示領域ＲＤ１、ＲＤ２には図４（Ａ）に示すように「Ｆ」の文字の画像が表示されることになる。
【００５０】
そして本実施形態では図６（Ａ）に示すように、アドレス制御回路４２は、第１の表示モードでは、第１のメモリー領域ＭＲ１と第２のメモリー領域ＭＲ２のアドレスを共に、第１のアドレスＡＤ１から第ＮのアドレスＡＤＮ（Ｎは２以上の整数）へと変化させる。即ちＡＤ１からＡＤＮへと昇順にアドレスを変化させて、表示メモリー４０から表示データ（セグメントデータ）を読み出す。
【００５１】
一方、図６（Ｂ）に示すように第２の表示モードでは、第１のメモリー領域ＭＲ１のアドレスについては、第１のアドレスＡＤ１から第ＮのアドレスＡＤＮへと変化させて、表示データを読み出すが、第２のメモリー領域ＭＲ２のアドレスについては、第ＮのアドレスＡＤＮから第１のアドレスＡＤ１へと変化させて、表示データを読み出す。即ちアドレスを変化させる順序を逆順にして表示データを読み出す。
【００５２】
このようにすれば、図２（Ｂ）のような電気光学パネルを駆動した場合に、図４（Ｂ）に示すように第１の表示領域ＲＤ１と第２の表示領域ＲＤ２とで文字が上下反転して見えてしまう事態を防止できる。
【００５３】
即ち図２（Ｂ）のタイプＢの電気光学パネルでは、表示領域ＲＤ１では下側から上側に向かって昇順にコモン線Ｃ１〜Ｃ３２が並んでいるが、表示領域ＲＤ２では上側から下側に向かって昇順にコモン線Ｃ１〜Ｃ３２が並んでいる。従って図４（Ａ）に示すようなイメージで、メモリー領域ＭＲ１、ＭＲ２に「Ｆ」の文字の表示データを書き込むと、図４（Ｂ）に示すように表示領域ＲＤ１とＲＤ２とで「Ｆ」の文字が上下反転して表示されてしまう。
【００５４】
そこで本実施形態では、図２（Ｂ）のような電気光学パネルを駆動する場合には、図６（Ｂ）の第２の表示モードに設定して、表示メモリー４０から表示データを読み出す。
【００５５】
このようにすれば、メモリー領域ＭＲ１については、ＡＤ１からＡＤＮへと順次にアドレスを変化させて表示データを読み出すことで、メモリー領域ＭＲ１に書き込まれたイメージで、「Ｆ」の文字を表示領域ＲＤ１に適正に表示できる。
【００５６】
一方、メモリー領域ＭＲ２については、メモリー領域ＭＲ１とは逆に、ＡＤＮからＡＤ１へと順次にアドレスを変化させて表示データを読み出す。このようにすれば、例えば図２（Ｂ）のコモン線Ｃ１の選択時には、メモリー領域ＭＲ２のアドレスＡＤＮに書き込まれた表示データが読み出され、コモン線Ｃ２の選択時には、メモリー領域ＭＲ２のアドレスＡＤＮ−１に書き込まれた表示データが読み出される。そして最後のコモン線Ｃ３２の選択時には、メモリー領域ＭＲ２のアドレスＡＤ１に書き込まれた表示データが読み出される。従って、図２（Ｂ）の電気光学パネルのように表示領域ＲＤ１とＲＤ２とでコモン線の順番が逆になっている場合にも、メモリー領域ＭＲ２に書き込まれたイメージで、「Ｆ」の文字を表示領域ＲＤ２に適正に表示できるようになり、図４（Ａ）に示すような表示が可能になる。
【００５７】
また本実施形態では図７（Ａ）に示すように、制御回路１０（左右反転回路３２）は、第１の表示モードでは、第１の表示領域ＲＤ１の第１〜第Ｋのデータ線Ｓ１〜ＳＫ（狭義には第１〜第Ｋのセグメント線。Ｋは２以上の整数）に対して、第１〜第Ｋの表示データＤ１〜ＤＫに基づくデータ線信号（狭義にはセグメント信号）が供給されるように制御する。また第２の表示領域ＲＤ２の第Ｋ＋１〜第Ｌのデータ線ＳＫ＋１〜ＳＬ（狭義には第Ｋ＋１〜Ｌのセグメント線）に対して、第Ｋ＋１〜第Ｌの表示データＤＫ＋１〜ＤＬに基づくデータ線信号（セグメント信号）が供給されるように制御する。
【００５８】
一方、図７（Ｂ）に示すように、第３の表示モードでは、第１の表示領域ＲＤ１の第１〜第Ｋのデータ線Ｓ１〜ＳＫに対して、第１〜第Ｋの表示データＤ１〜ＤＫに基づくデータ線信号が供給されるように制御する。また第２の表示領域ＲＤ２の第Ｋ＋１〜第Ｌのデータ線ＳＫ＋１〜ＳＬに対して、第Ｌ〜第Ｋ＋１の表示データＤＬ〜ＤＫ＋１に基づくデータ線信号が供給されるように制御する。
【００５９】
このようにすれば、例えば図３のような電気光学パネルにおいて、表示領域ＲＤ１とＲＤ２で文字が左右反転して見えてしまう事態を防止できる。
【００６０】
即ち図３の電気光学パネルでは、表示領域ＲＤ１では左側から右側に昇順にセグメント線Ｓ１〜Ｓ６４が並んでいるが、表示領域ＲＤ２では右側から左側に昇順にセグメント線Ｓ６５〜Ｓ１２８が並んでいる。従って図４（Ａ）に示すようなイメージで、メモリー領域ＭＲ１、ＭＲ２に「Ｆ」の文字の表示データを書き込むと、図４（Ｃ）に示すように表示領域ＲＤ１とＲＤ２で「Ｆ」の文字が左右反転して表示されてしまう。なお図３の電気光学パネルでは表示領域ＲＤ１とＲＤ２とでコモン線の並びも逆になっているため、「Ｆ」の文字は左右反転していると共に上下反転している。
【００６１】
そこで本実施形態では、このような電気光学パネルを駆動する場合には、図７（Ｂ）のような第３の表示モードに設定する。
【００６２】
このようにすれば図３のようにセグメント線Ｓ６５〜Ｓ１２８が右側から左側に昇順に並んでいた場合にも、図７（Ｂ）の第３の表示モードでは表示データの左右反転処理が行われるため、「Ｆ」の文字が左右反転して見えてしまう事態を防止できる。なお図４（Ａ）に示すように適正に「Ｆ」の文字を表示するためには、実際には図６（Ｂ）の第２の表示モードと図７（Ｂ）の第３の表示モードの両方が有効になる表示モード（第４の表示モード）に設定することになる。
【００６３】
３．出力モードの切り替え
さて、本実施形態では、図２（Ａ）〜図３に示すような様々なタイプの電気光学パネルに対応するために、複数の出力セル（駆動セル）の任意のセルにコモン信号を出力させる手法を採用している。このような本実施形態の集積回路装置の出力モードの切り替え手法について、図８（Ａ）、図８（Ｂ）を用いて説明する。
【００６４】
この集積回路装置は第１〜第ｎの出力セルＱ１〜Ｑｎ（ｎは２以上の整数）と制御回路１０を含む。出力セルＱ１〜Ｑｎは、各出力セルが互いに隣接するように集積回路装置の出力セル領域ＲＱに並んで配置されており、これらの出力セルＱ１〜Ｑｎにより電気光学パネルの駆動回路が構成される。なお出力セル領域ＲＱは、例えばＩ／Ｏセルが配置される集積回路装置のＩ／Ｏ領域である。
【００６５】
Ｑ１〜Ｑｎの各出力セルはコモン信号（広義には走査線信号）又はセグメント信号（広義にはデータ線信号）を出力する。出力セルとしては、後述するようなコモン出力とセグメント出力の切り替えが可能なコモン／セグメント兼用出力セルや、セグメント信号だけを出力するセグメント専用出力セルや、コモン信号だけを出力するコモン専用出力セルを想定できる。また各出力セルは、通常のＩ／Ｏセルと同様に信号を外部に出力するためのパッド（端子）を備えることができる。またダイオード等の静電保護素子を設けてもよい。
【００６６】
制御回路１０は集積回路装置の各回路を制御するものであり、本実施形態では出力セルＱ１〜Ｑｎの制御（Ｑ１〜Ｑｎにより構成される駆動回路の制御）を行う。具体的には制御回路１０は、第１〜第ｎの出力セルＱ１〜Ｑｎの入力データ信号（コモンデータ、セグメントデータの信号）を供給する。またコモン出力とセグメント出力の切り替え制御を行う。例えばコモン出力とセグメント出力を切り替えるための切り替え信号（第１〜第ｐの切り替え信号）を出力する。
【００６７】
そして例えば制御回路１０の制御により、図８（Ａ）に示す第１の出力モードでは、Ｑ１〜Ｑｎのうちの第１〜第ｉの出力セルＱ１〜Ｑｉがコモン信号を出力し、Ｑ１〜Ｑｎのうちの第ｊ〜第ｋの出力セルＱｊ〜Ｑｋ（１＜ｉ≦ｊ＜ｋ）がセグメント信号を出力する。一方、図８（Ｂ）に示す第２の出力モードでは、出力セルＱ１〜Ｑｉがセグメント信号を出力し、出力セルＱｊ〜Ｑｋがコモン信号を出力する。
【００６８】
即ち、これまではコモン信号を出力する出力セル群とセグメント信号を出力する出力セル群の配置は固定されていた。図８（Ａ）を例にとり説明すれば、出力セルＱ１〜Ｑｉはコモン信号のみを出力し、出力セルＱｊ〜Ｑｋはセグメント信号のみを出力するようになっていた。
【００６９】
しかしながら、このような固定された出力セル群の配置では、図２（Ａ）〜図３に示すような様々なタイプの電気光学パネルに対応することが難しい。
【００７０】
この点、本実施形態では図８（Ａ）、図８（Ｂ）に示すように、コモン信号を出力する出力セルが、第１の出力モードではＱ１〜Ｑｉであるが、第２の出力モードではＱ１〜ＱｉからＱｊ〜Ｑｋに切り替えられる。即ち、例えば任意の出力セル群によりコモン信号を出力できる。従って、図２（Ａ）のタイプＡの電気光学パネルでは例えば第１の出力モードに設定し、図２（Ｂ）、図３のタイプＢ、タイプＣの電気光学パネルでは第２の出力モードに設定することにより、様々なタイプの電気光学パネルに対応できるようになる。
【００７１】
図９（Ａ）、図９（Ｂ）に出力モードの切り替え制御の更なる具体例を示す。図９（Ａ）の第１の出力モードでは、第１〜第ｉの出力セルＱ１〜Ｑｉ及び第ｍ〜ｎの出力セルＱｍ〜Ｑｎ（ｋ＜ｍ＜ｎ）がコモン信号を出力し、第ｉ＋１〜第ｍ−１の出力セルＱｉ＋１〜Ｑｍ−１がセグメント信号を出力する。
【００７２】
一方、図９（Ｂ）の第２の出力モードでは、第１〜第ｊ−１の出力セルＱ１〜Ｑｊ−１及び第ｋ＋１〜第ｎの出力セルＱｋ＋１〜Ｑｎがセグメント信号を出力し、第ｊ〜第ｋの出力セルＱｊ〜Ｑｋがコモン信号を出力する。
【００７３】
即ち図９（Ａ）の第１の出力モードでは、出力セル領域ＲＱのうちの両サイド領域（端部領域）に配置される出力セルＱ１〜Ｑｉ及びＱｍ〜Ｑｎがコモン信号を出力し、両サイド領域（左端部領域、右端部領域）を除く中央領域（中間領域）に配置される出力セルＱｉ＋１〜Ｑｍ−１（Ｑｊ〜Ｑｋ）がセグメント信号を出力する。
【００７４】
一方、図９（Ｂ）の第２の出力モードでは、両サイド領域の出力セルＱ１〜Ｑｊ−１及びＱｋ＋１〜Ｑｎ（Ｑ１〜Ｑｉ及びＱｍ〜Ｑｎ）がセグメント信号を出力し、中央領域の出力セルＱｊ〜Ｑｋがコモン信号を出力する。
【００７５】
このようにすれば例えば図２（Ａ）のタイプＡの電気光学パネルでは第１の出力モードに設定し、図２（Ｂ）のタイプＢの電気光学パネルでは第２の出力モードに設定することにより、様々なタイプの電気光学パネルに対応できるようになる。
【００７６】
なお、コモン出力とセグメント出力の切り替え手法としては種々の手法を採用できる。例えば図１０（Ａ）〜図１０（Ｄ）では、集積回路装置（ＩＣチップ）の電気光学パネル側の出力セル領域（Ｉ／Ｏ領域）に、コモン信号又はセグメント信号を出力する出力セルが配置されている。
【００７７】
そして図１０（Ａ）の第１の出力モードでは、出力セル領域ＲＤ１、ＲＤ３（両サイド領域）に配置される出力セルがコモン信号を出力し、出力セル領域ＲＤ２（中央領域）に配置される出力セルがセグメント信号を出力する。
【００７８】
一方、図１０（Ｂ）の第２の出力モードでは、出力セル領域ＲＤ４、ＲＤ６（両サイド領域）に配置される出力セルがセグメント信号を出力し、出力セル領域ＲＤ５（中央領域）に配置される出力セルがコモン信号を出力する。なお図１０（Ａ）、図１０（Ｂ）において、領域ＲＤ４は、領域ＲＤ１と、領域ＲＤ２の左サイド領域を含む領域になっている。また領域ＲＤ６は、領域ＲＤ３と、領域ＲＤ２の右サイド領域を含む領域になっている。そして領域ＲＤ５は、領域ＲＤ２の左サイド領域と右サイド領域を除く領域になっている。
【００７９】
また図１０（Ｃ）の第１の出力モードでは、出力セル領域ＲＥ１に配置される出力セルがコモン信号を出力し、出力セル領域ＲＥ２に配置される出力セルがセグメント信号を出力する。即ち図８（Ａ）の出力セルＱ１〜Ｑｉが図１０（Ｃ）の領域ＲＥ１に配置されて、コモン信号を出力し、出力セルＱｊ〜Ｑｋが領域ＲＥ２に配置されて、セグメント信号を出力する。
【００８０】
一方、図１０（Ｄ）の第２の出力モードでは、出力セル領域ＲＥ３に配置される出力セルがセグメント信号を出力し、出力セル領域ＲＥ４に配置される出力セルがコモン信号を出力する。即ち図８（Ａ）の出力セルＱ１〜Ｑｉが図１０（Ｄ）の領域ＲＥ３に配置されて、セグメント信号を出力し、出力セルＱｊ〜Ｑｋが領域ＲＥ４に配置されて、コモン信号を出力する。
【００８１】
このように図１０（Ｃ）、図１０（Ｄ）では、第１の出力モードでは、左サイド領域ＲＥ１の出力セルがコモン信号を出力し、右サイド領域ＲＥ２の出力セルがセグメント信号を出力する一方で、第２の出力モードでは、左サイド領域ＲＥ３の出力セルがセグメント信号を出力し、右サイド領域ＲＥ４の出力セルがコモン信号を出力している。本実施形態によれば、このようなコモン出力とセグメント出力の切り替え制御も実現できる。
【００８２】
４．詳細例
図１１（Ａ）に本実施形態の集積回路装置の詳細な構成例を示す。図１１（Ａ）はマイクロコンピューターの集積回路装置の例であり、制御回路１０、電源選択回路５０、電源回路６０を含む。また周辺回路７０、ＣＰＵ８０を含むことができる。
【００８３】
電源回路６０は、コモン用及びセグメント用の複数の電源電圧を生成して供給する。電源選択回路５０は、これらのコモン用及びセグメント用の複数の電源電圧の中から選択した電源電圧を、高電位側コモン電源電圧、低電位側コモン電源電圧、高電位側セグメント電源電圧、低電位側セグメント電源電圧として、後述する第１〜第４の電源線に出力する。周辺回路７０は、例えばマイクロコンピューターのタイマー回路、通信回路等である。ＣＰＵ８０は、マイクロコンピューターのＣＰＵコアであり、各種の演算処理を行う。
【００８４】
図１１（Ａ）では、Ｉ／Ｏ領域である出力セル領域ＲＦ１、ＲＦ２、ＲＦ３、ＲＦ４、ＲＦ５には、各々、出力セルＱＣ１〜ＱＣ１６、ＱＳ１〜ＱＳ４８、ＱＣ４９〜ＱＣ８０、ＱＳ８１〜ＱＳ１２８、ＱＣ１７〜ＱＣ３２が配置されている。またＩ／Ｏ領域ＲＦ６には、Ｉ／ＯセルＱＰ１〜ＱＰｈが配置されている。
【００８５】
図１１（Ａ）のＱＣ１〜ＱＣ１６は図９（Ａ）、図９（Ｂ）のＱ１〜Ｑｉに相当し、ＱＳ１〜ＱＳ４８はＱｉ＋１〜Ｑｊ−１に相当する。また、ＱＣ４９〜ＱＣ８０はＱｊ〜Ｑｋに相当し、ＱＳ８１〜ＱＳ１２８はＱｋ＋１〜Ｑｍ−１に相当し、ＱＣ１７〜ＱＣ３２はＱｍ〜Ｑｎに相当する。
【００８６】
そしてＱＣ１〜ＱＣ１６（図９（Ａ）のＱ１〜Ｑｉ）、ＱＣ４９〜ＱＣ８０（Ｑｊ〜Ｑｋ）、ＱＣ１７〜ＱＣ３２（Ｑｍ〜Ｑｎ）の各出力セルは、コモン出力とセグメント出力の切り替え制御が可能なコモン／セグメント兼用出力セルとなっている。このコモン／セグメント兼用出力セルは、切り替え信号の電圧レベルに応じて、コモン信号又はセグメント信号のいずれかを出力する。
【００８７】
一方、ＱＳ１〜ＱＳ４８（図９（Ａ）のＱｉ＋１〜Ｑｊ−１）、ＱＳ８１〜ＱＳ１２８（Ｑｋ＋１〜Ｑｍ−１）は、セグメント信号だけを出力するセグメント専用出力セルとなっている。
【００８８】
そして図１１（Ｂ）に示すように、第１の出力モードでは、コモン／セグメント兼用出力セルＱＣ１〜ＱＣ１６及びＱＣ１７〜ＱＣ３２がコモン信号を出力し、コモン／セグメント兼用出力セルＱＣ４９〜ＱＣ８０がセグメント信号を出力する。
【００８９】
一方、第２の出力モードでは、第１の出力モードとは逆に、コモン／セグメント兼用出力セルＱＣ１〜ＱＣ１６及びＱＣ１７〜ＱＣ３２がセグメント信号を出力し、コモン／セグメント兼用出力セルＱＣ４９〜ＱＣ８０がコモン信号を出力する。なお、セグメント専用出力セルＱＳ１〜ＱＳ４８及びＱＳ８１〜ＱＳ１２８は、いずれの出力モードにおいてもセグメント信号を出力する。
【００９０】
このように図１１（Ａ）では、コモン／セグメント兼用出力セルＱＣ１〜ＱＣ１６、ＱＣ４９〜ＱＣ８０、ＱＣ１７〜ＱＣ３２を、各々、出力セル領域ＲＦ１、ＲＦ３、ＲＦ５に配置し、セグメント専用出力セルＱＳ１〜ＱＳ４８、ＱＳ８１〜ＱＳ１２８を、各々、出力セル領域ＲＦ２、ＲＦ４に配置することで、図９（Ａ）、図９（Ｂ）に示すコモン出力とセグメント出力の切り替え制御を実現している。このようにすれば、複雑な制御を行わなくても、出力セルのレイアウト配置を工夫するだけで、コモン出力とセグメント出力の切り替え制御を実現できるという利点がある。
【００９１】
なお図１１（Ａ）では、出力セルＱＣ１〜ＱＣ１６（Ｑ１〜Ｑｉ）は、制御回路からの第１の切り替え信号に基づいて、コモン出力とセグメント出力の切り替え制御が行われる。一方、出力セルＱＣ４９〜ＱＣ８０（Ｑｊ〜Ｑｋ）は、制御回路からの第２の切り替え信号に基づいて、コモン出力とセグメント出力の切り替え制御が行われる。更に、出力セルＱＣ１７〜ＱＣ３２（Ｑｍ〜Ｑｎ）は、制御回路からの第３の切り替え信号（或いは第１の切り替え信号）に基づいて、コモン出力とセグメント出力の切り替え制御が行われる。
【００９２】
このように、ＱＣ１〜ＱＣ１６、ＱＣ４９〜ＱＣ８０、ＱＣ１７〜ＱＣ３２の各出力セル群毎に切り替え信号を設ければ、簡素な処理で、コモン出力とセグメント出力の切り替え制御を実現できるようになる。
【００９３】
図１２〜図１４に、本実施形態の集積回路装置と図２（Ａ）〜図３の電気光学パネルの実装形態の例を示す。
【００９４】
図１２は、図２（Ａ）のタイプＡの電気光学パネルの場合の実装例である。図１２では、集積回路装置は第１の出力モードに設定される。
【００９５】
そして図１１（Ａ）で説明した出力セルＱＣ１〜ＱＣ１６からのコモン信号ＣＯＭ１〜ＣＯＭ１６の配線は、Ｇ１、Ｇ２に示す電気光学パネル（電気光学モジュール）のコモン端子に接続される。そして、これらのコモン端子からのコモン信号ＣＯＭ１〜ＣＯＭ１６は、電気光学パネルの表示領域ＲＤ１、ＲＤ２の下側領域（下半分の領域）に供給される。
【００９６】
また図１１（Ａ）で説明した出力セルＱＣ１７〜ＱＣ３２からのコモン信号ＣＯＭ１７〜ＣＯＭ３２の配線は、Ｇ３、Ｇ４に示すコモン端子に接続される。そしてこれらのコモン端子からのコモン信号ＣＯＭ１７〜ＣＯＭ３２は、表示領域ＲＤ１、ＲＤ２の上側領域（上半分の領域）に供給される。
【００９７】
また出力セルＱＳ１〜ＱＳ４８、ＱＣ４９〜ＱＣ８０、ＱＳ８１〜ＱＳ１２８からのセグメント信号ＳＥＧ１〜ＳＥＧ１２８の配線は、Ｇ５、Ｇ６に示すセグメント端子に接続される。そしてセグメント信号ＳＥＧ１〜ＳＥＧ６４は、上方向から表示領域ＲＤ１に供給され、セグメント信号ＳＥＧ６５〜ＳＥＧ１２８は、下方向から表示領域ＲＤ２に供給される。
【００９８】
なお本実施形態の集積回路装置は、図１（Ａ）に示すような１２８×３２の電気光学パネルについても駆動できる。この場合には、図１２の場合と同様に第１の出力モードに設定して、コモン信号やセグメント信号を供給すればよい。
【００９９】
図１３は、図２（Ｂ）のタイプＢの電気光学パネルの場合の実装例である。図１３では、集積回路装置は第２の出力モードに設定される。
【０１００】
そして図１１（Ａ）で説明した出力セルＱＣ４９〜ＱＣ８０からのコモン信号ＣＯＭ１〜ＣＯＭ３２の配線は、Ｈ１、Ｈ２に示すコモン端子に接続される。そしてこれらのコモン端子からのコモン信号ＣＯＭ１〜ＣＯＭ３２は、左方向から表示領域ＲＤ１に供給され、Ｈ３に示す折り返し配線により表示領域ＲＤ２に供給される。
【０１０１】
また出力セルＱＣ１〜ＱＣ１６、ＱＳ１〜ＱＳ４８からのセグメント信号ＳＥＧ１〜ＳＥＧ６４の配線は、Ｈ４に示す下側のセグメント端子に接続される。そしてセグメント信号ＳＥＧ１〜ＳＥＧ６４は、下方向から表示領域ＲＤ２に供給される。
【０１０２】
一方、出力セルＱＳ８１〜ＱＳ１２８、ＱＣ１７〜ＱＣ３２からのセグメント信号ＳＥＧ６５〜ＳＥＧ１２８の配線は、Ｈ５に示す上側のセグメント端子に接続される。そしてセグメント信号ＳＥＧ６５〜ＳＥＧ１２８は、上方向から表示領域ＲＤ１に供給される。
【０１０３】
図１４は、図３のタイプＣの電気光学パネルの場合の実装例である。図１４では、集積回路装置は第２の出力モードに設定される。
【０１０４】
そして図１１（Ａ）で説明した出力セルＱＣ４９〜ＱＣ８０からのコモン信号ＣＯＭ１〜ＣＯＭ３２の配線は、Ｉ１に示す中央領域のコモン端子に接続される。そしてこれらのコモン端子からのコモン信号ＣＯＭ１〜ＣＯＭ３２は、右方向から表示領域ＲＤ１に供給され、Ｉ２に示す折り返し配線により表示領域ＲＤ２に供給される。
【０１０５】
また出力セルＱＣ１〜ＱＣ１６、ＱＳ１〜ＱＳ４８からのセグメント信号ＳＥＧ１〜ＳＥＧ６４の配線は、Ｉ３に示す上側のセグメント端子に接続される。そしてセグメント信号ＳＥＧ１〜ＳＥＧ６４は、上方向から表示領域ＲＤ１に供給される。
【０１０６】
一方、出力セルＱＳ８１〜ＱＳ１２８、ＱＣ１７〜ＱＣ３２からのセグメント信号ＳＥＧ６５〜ＳＥＧ１２８の配線は、Ｉ４に示す下側のセグメント端子に接続される。そしてセグメント信号ＳＥＧ６５〜ＳＥＧ１２８は、下方向から表示領域ＲＤ２に供給される。
【０１０７】
以上のように本実施形態の集積回路装置によれば、タイプＡ、Ｂ、Ｃ等の様々な電気光学パネルに接続する場合にも、出力モードを切り替えることで、これに対応することができる。即ち出力モードを切り替えるだけで、配線が交差してしまったり、実装が難しくなるといった問題を解決でき、様々なタイプの電気光学パネルへの実装が可能になる。
【０１０８】
なお表示モードについては、図１２のタイプＡの場合には、図６（Ａ）、図７（Ａ）で説明した第１の表示モードに設定される。また図１３のタイプＢの場合には、図６（Ｂ）で説明した第２の表示モードに設定される。また図１４のタイプＣの場合には、図７（Ｂ）で説明した第３の表示モードに設定される。具体的には第２、第３の表示モードの両方が有効になる表示モード（第４の表示モード）に設定される。
【０１０９】
５．出力セル、電源選択回路
次に図１５を用いて出力セル、電源選択回路の具体的な構成例について説明する。図１５では、コモン／セグメント兼用出力セルＱＣ１、ＱＣ２、ＱＣ４９、セグメント専用出力セルＱＳ１の構成が、一例として示されている。なお出力セル等の構成は図１５の構成に限定されず、その構成要素の一部を省略したり、他の構成要素を追加するなどの種々の変形実施が可能である。
【０１１０】
電源回路６０は、コモン用及びセグメント用の複数の電源電圧ＶＣ５、ＶＣ４、ＶＣ３、ＶＣ２、ＶＣ１、ＶＳＳを生成して、電源選択回路５０に供給する。電源選択回路５０は、これらの複数の電源電圧ＶＣ５、ＶＣ４、ＶＣ３、ＶＣ２、ＶＣ１、ＶＳＳの中から、高電位側コモン電源電圧ＶＣＯＭＨ、低電位側コモン電源電圧ＶＣＯＭＬ、高電位側セグメント電源電圧ＶＳＥＧＨ、低電位側セグメント電源電圧ＶＳＥＧＬを選択する。そして、選択された高電位側コモン電源電圧ＶＣＯＭＨ、低電位側コモン電源電圧ＶＣＯＭＬ、高電位側セグメント電源電圧ＶＳＥＧＨ、低電位側セグメント電源電圧ＶＳＥＧＬを、各々、第１の電源線ＰＬ１、第２の電源線ＰＬ２、第３の電源線ＰＬ３、第４の電源線ＰＬ４に供給する。
【０１１１】
具体的には電源選択回路５０は、第１、第２、第３、第４の電源線ＰＬ１、ＰＬ２、ＰＬ３、ＰＬ４に供給する電源電圧ＶＣＯＭＨ、ＶＣＯＭＬ、ＶＳＥＧＨ、ＶＳＥＧＬを、フレーム信号ＬＦＲに基づいて選択する。
【０１１２】
例えば図１６にコモン信号、セグメント信号の波形例を示す。図１６は、電気光学パネルに「０」、「１」、「２」というような数字を表示する場合の波形例である。
【０１１３】
図１６に示すように、コモン用及びセグメント用の電源電圧としては、ＶＣ５、ＶＣ４、ＶＣ３、ＶＣ２、ＶＣ１、ＶＳＳがある。そして図１６に示すように高電位側コモン電源電圧ＶＣＯＭＨは、第ＩのフレームではＶＣＯＭＨ＝ＶＣ４になり、次の第Ｉ＋１のフレームではＶＣＯＭＨ＝ＶＣ５になる。従って、図１５に示すように電源選択回路５０は、フレーム信号ＬＦＲに基づいて電源電圧ＶＣ４又はＶＣ５のいずれかを選択し、第ＩのフレームではＶＣＯＭＨ＝ＶＣ４を第１の電源線ＰＬ１に供給し、次の第Ｉ＋１のフレームではＶＣＯＭＨ＝ＶＣ５を第１の電源線ＰＬ１に供給する。
【０１１４】
また図１６に示すように低電位側コモン電源電圧ＶＣＯＭＬは、第ＩのフレームではＶＣＯＭＬ＝ＶＳＳになり、第Ｉ＋１のフレームではＶＣＯＭＬ＝ＶＣ１になる。従って、電源選択回路５０は、フレーム信号ＬＦＲに基づいて電源電圧ＶＳＳ又はＶＣ１のいずれかを選択し、第ＩのフレームではＶＣＯＭＬ＝ＶＳＳを第２の電源線ＰＬ２に供給し、第Ｉ＋１のフレームではＶＣＯＭＬ＝ＶＣ１を第２の電源線ＰＬ２に供給する。
【０１１５】
また高電位側セグメント電源電圧ＶＳＥＧＨは、第ＩのフレームではＶＳＥＧＨ＝ＶＣ５になり、第Ｉ＋１のフレームではＶＳＥＧＨ＝ＶＣ２になる。従って、電源選択回路５０は、フレーム信号ＬＦＲに基づいて電源電圧ＶＣ５又はＶＣ２のいずれかを選択し、第ＩのフレームではＶＳＥＧＨ＝ＶＣ５を第３の電源線ＰＬ３に供給し、第Ｉ＋１のフレームではＶＳＥＧＨ＝ＶＣ２を第３の電源線ＰＬ３に供給する。
【０１１６】
また低電位側セグメント電源電圧ＶＳＥＧＬは、第ＩのフレームではＶＳＥＧＬ＝ＶＣ３になり、第Ｉ＋１のフレームではＶＳＥＧＬ＝ＶＳＳになる。従って、電源選択回路５０は、フレーム信号ＬＦＲに基づいて電源電圧ＶＣ３又はＶＳＳのいずれかを選択し、第ＩのフレームではＶＳＥＧＬ＝ＶＣ３を第４の電源線ＰＬ４に供給し、第Ｉ＋１のフレームではＶＳＥＧＬ＝ＶＳＳを第４の電源線ＰＬ４に供給する。
【０１１７】
図１５に示すようにコモン／セグメント兼用出力セルＱＣ１は、第１〜第４のスイッチ素子ＳＷ１〜ＳＷ４とロジック回路５２を含む。また、外部にコモン信号又はセグメント信号を出力するためのパッドＰＤ（端子）が設けられている。スイッチ素子ＳＷ１〜ＳＷ４はＭＯＳトランジスター（例えばトランスファーゲート）等により構成できる。なお、以下では、コモン／セグメント兼用出力セルＱＣ１の構成、動作を主に例にとり説明するが、コモン／セグメント兼用出力セルＱＣ２、ＱＣ４９の構成、動作もほぼ同様である。
【０１１８】
出力セルＱＣ１の第１のスイッチ素子ＳＷ１の一端の端子には、高電位側コモン電源電圧ＶＣＯＭＨが供給され、第２のスイッチ素子ＳＷ２の一端の端子には、低電位側コモン電源電圧ＶＣＯＭＬが供給される。また第３のスイッチ素子ＳＷ３の一端の端子には、高電位側セグメント電源電圧ＶＳＥＧＨが供給され、第４のスイッチ素子ＳＷ４の一端の端子には、低電位側セグメント電源電圧ＶＳＥＧＬが供給される。これらのＶＣＯＭＨ、ＶＣＯＭＬ、ＶＳＥＧＨ、ＶＳＥＧＬは、前述のように、第ＩのフレームではＶＣＯＭＨ＝ＶＣ４、ＶＣＯＭＬ＝ＶＳＳ、ＶＳＥＧＨ＝ＶＣ５、ＶＳＥＧＬ＝ＶＣ３になり、第Ｉ＋１のフレームではＶＣＯＭＨ＝ＶＣ５、ＶＣＯＭＬ＝ＶＣ１、ＶＳＥＧＨ＝ＶＣ２、ＶＳＥＧＬ＝ＶＳＳになる。
【０１１９】
出力セルＱＣ１の第１〜第４のスイッチ素子ＳＷ１〜ＳＷ４の他端の端子は共通接続される。具体的にはスイッチ素子ＳＷ１〜ＳＷ４の他端の端子はパッドＰＤに接続される。そしてコモン信号出力時には、スイッチ素子ＳＷ３及びＳＷ４がオフになると共に、スイッチ素子ＳＷ１及びＳＷ２が、入力データ信号ＤＣ１（コモンデータ）に基づいてオン・オフ制御される。
【０１２０】
即ち、この場合には制御回路１０は、第１の切り替え信号ＳＧＳＷ１を第１の電圧レベル（Ｈレベル又はＬレベルの一方の電圧レベル）に設定して、出力セルＱＣ１のロジック回路５２にコモン信号の出力を指示する。またコモンデータに対応する入力データ信号ＤＣ１をＱＣ１のロジック回路５２に供給する。
【０１２１】
すると、これを受けたロジック回路５２は、コモン出力モードであるため、セグメント電源電圧ＶＳＥＧＨ、ＶＳＥＧＬが一端に供給されるスイッチ素子ＳＷ３、ＳＷ４をオフにする。一方、コモン電源電圧ＶＣＯＭＨ、ＶＣＯＭＬが一端に供給されるスイッチ素子ＳＷ１、ＳＷ１を、コモンデータに対応する入力データ信号ＤＣ１に基づいてオン・オフする制御を行う。
【０１２２】
例えば図１６の第Ｉのフレームにおいて、入力データ信号ＤＣ１がＨレベルである場合には、スイッチ素子ＳＷ１がオン、ＳＷ２がオフになり、ＶＣＯＭＨ＝ＶＣ４がパッドＰＤに供給される。また第Ｉのフレームにおいて、入力データ信号ＤＣ１がＬレベルである場合には、スイッチ素子ＳＷ１がオフ、ＳＷ２がオンになり、ＶＣＯＭＬ＝ＶＳＳがパッドＰＤに供給される。
【０１２３】
また次の第Ｉ＋１のフレームにおいて、入力データ信号ＤＣ１がＨレベルである場合には、スイッチ素子ＳＷ１がオン、ＳＷ２がオフになり、ＶＣＯＭＨ＝ＶＣ５がパッドＰＤに供給される。また第Ｉ＋１のフレームにおいて、入力データ信号ＤＣ１がＬレベルである場合には、スイッチ素子ＳＷ１がオフ、ＳＷ２がオンになり、ＶＣＯＭＬ＝ＶＣ１がパッドＰＤに供給される。
【０１２４】
一方、セグメント信号出力時には、出力セルＱＣ１のスイッチ素子ＳＷ１及びＳＷ２がオフになると共に、スイッチ素子ＳＷ３及びＳＷ４が、入力データ信号ＤＣ１（セグメントデータ）に基づいてオン・オフ制御される。
【０１２５】
即ち、この場合には制御回路１０は、第１の切り替え信号ＳＧＳＷ１を第２の電圧レベル（Ｈレベル又はＬレベルの他方の電圧レベル）に設定して、出力セルＱＣ１のロジック回路５２にセグメント信号の出力を指示する。またセグメントデータに対応する入力データ信号ＤＣ１をＱＣ１のロジック回路５２に供給する。
【０１２６】
すると、これを受けたロジック回路５２は、セグメント出力モードであるため、コモン電源電圧ＶＣＯＭＨ、ＶＣＯＭＬが一端に供給されるスイッチ素子ＳＷ１、ＳＷ２をオフにする。一方、セグメント電源電圧ＶＳＥＧＨ、ＶＳＥＧＬが一端に供給されるスイッチ素子ＳＷ３、ＳＷ４を、セグメントデータに対応する入力データ信号ＤＣ１に基づいてオン・オフする制御を行う。
【０１２７】
例えば第Ｉのフレームにおいて、入力データ信号ＤＣ１がＨレベルである場合には、スイッチ素子ＳＷ３がオン、ＳＷ４がオフになり、ＶＳＥＧＨ＝ＶＣ５がパッドＰＤに供給される。また第Ｉのフレームにおいて、入力データ信号ＤＣ１がＬレベルである場合には、スイッチ素子ＳＷ３がオフ、ＳＷ４がオンになり、ＶＳＥＧＬ＝ＶＣ３がパッドＰＤに供給される。
【０１２８】
また次の第Ｉ＋１のフレームにおいて、入力データ信号ＤＣ１がＨレベルである場合には、スイッチ素子ＳＷ３がオン、ＳＷ４がオフになり、ＶＳＥＧＨ＝ＶＣ２がパッドＰＤに供給される。また第Ｉ＋１のフレームにおいて、入力データ信号ＤＣ１がＬレベルである場合には、スイッチ素子ＳＷ３がオフ、ＳＷ４がオンになり、ＶＳＥＧＬ＝ＶＳＳがパッドＰＤに供給される。
【０１２９】
コモン／セグメント兼用出力セルＱＣ２のロジック回路５２には、コモンデータ又はセグメントデータに対応する入力データ信号ＤＣ２が供給される。そしてロジック回路５２は、第１の切り替え信号ＳＧＳＷ１及び入力データ信号ＤＣ２に基づいて、上述の出力セルＱＣ１と同様の制御で、スイッチ素子ＳＷ１〜ＳＷ４を制御する。
【０１３０】
コモン／セグメント兼用出力セルＱＣ４９のロジック回路５２には、コモンデータ又はセグメントデータに対応する入力データ信号ＤＣ４９が供給される。そしてロジック回路５２は、第２の切り替え信号ＳＧＳＷ２及び入力データ信号ＤＣ４９に基づいて、上述の出力セルＱＣ１と同様の制御で、スイッチ素子ＳＷ１〜ＳＷ４を制御する。
【０１３１】
なお図１５に示すように、コモン／セグメント兼用出力セルＱＣ１及びＱＣ２には第１の切り替え信号ＳＧＳＷ１が供給される一方で、コモン／セグメント兼用出力セルＱＣ４９には第２の切り替え信号ＳＧＳＷ２が供給される。即ち図１１（Ａ）において、領域ＲＦ１のコモン／セグメント兼用出力セルＱＣ１〜ＱＣ１６には第１の切り替え信号ＳＧＳＷ１が供給され、領域ＲＦ３のコモン／セグメント兼用出力セルＱＣ４９〜ＱＣ８０には第２の切り替え信号ＳＧＳＷ２が供給される。また領域ＲＦ５のコモン／セグメント兼用出力セルＱＣ１７〜ＱＣ３２には図示しない第３の切り替え信号（或いは第２の切り替え信号）が供給される。このように領域毎に異なる切り替え信号を供給することで、図１１（Ｂ）に示すような切り替え制御を簡素に実現できる。
【０１３２】
セグメント専用出力セルＱＳ１は第１、第２のスイッチ素子ＳＷ１、ＳＷ２とロジック回路５２とパッドＰＤを含む。
【０１３３】
出力セルＱＳ１の第１のスイッチ素子ＳＷ１の一端の端子には、高電位側セグメント電源電圧ＶＳＥＧＨが供給され、第２のスイッチ素子ＳＷ２の一端の端子には、低電位側セグメント電源電圧ＶＳＥＧＬが供給される。
【０１３４】
そして出力セルＱＳ１の第１、第２のスイッチ素子ＳＷ１、ＳＷ２の他端の端子は共通接続されて、パッドＰＤに接続される。そしてスイッチ素子ＳＷ１、ＳＷ２が入力データ信号ＤＳ１に基づいてオン・オフ制御される。
【０１３５】
例えば第Ｉのフレームにおいて、入力データ信号ＤＳ１がＨレベルである場合には、スイッチ素子ＳＷ１がオン、ＳＷ２がオフになり、ＶＳＥＧＨ＝ＶＣ５がパッドＰＤに供給される。また第Ｉのフレームにおいて、入力データ信号ＤＳ１がＬレベルである場合には、スイッチ素子ＳＷ１がオフ、ＳＷ２がオンになり、ＶＳＥＧＬ＝ＶＣ３がパッドＰＤに供給される。また次の第Ｉ＋１のフレームにおいて、入力データ信号ＤＳ１がＨレベルである場合には、スイッチ素子ＳＷ１がオン、ＳＷ２がオフになり、ＶＳＥＧＨ＝ＶＣ２がパッドＰＤに供給される。また第Ｉ＋１のフレームにおいて、入力データ信号ＤＳ１がＬレベルである場合には、スイッチ素子ＳＷ１がオフ、ＳＷ２がオンになり、ＶＳＥＧＬ＝ＶＳＳがパッドＰＤに供給される。
【０１３６】
以上のように図１５の構成例では、まず電源選択回路５０が電源電圧ＶＣＯＭＨ、ＶＣＯＭＬ、ＶＳＥＧＨ、ＶＳＥＧＬの選択を行い、次に各出力セルが、切り替え信号や入力データ信号に基づいて、電源線ＰＬ１〜ＰＬ４に供給される電源電圧ＶＣＯＭＨ、ＶＣＯＭＬ、ＶＳＥＧＨ、ＶＳＥＧＬの選択を行う。このように２段階に分けて電源選択を行うことで、各出力セルに配置されるスイッチ素子の個数を減らすことができ、集積回路装置全体でのレイアウト面積を縮小化できる。
【０１３７】
例えば図１５の構成例の比較例として、ＶＣ５、ＶＣ４、ＶＣ３、ＶＣ２、ＶＣ１、ＶＳＳに基づく１回の電源選択で、各フレームに必要なコモン電源電圧やセグメント電源電圧を選択する手法が考えられる。
【０１３８】
しかしながら、この比較例の手法では、ＶＣ５、ＶＣ４、ＶＣ３、ＶＣ２、ＶＣ１、ＶＳＳの中からコモン電源電圧やセグメント電源電圧を選択するためのスイッチ素子を、各出力セルに設ける必要があり、これらのスイッチ素子の個数は図１５に比べて多くなる。そして、出力セルの個数は多数であるため、各出力セルに設けられるスイッチ素子の個数が増えると、集積回路装置全体でのレイアウト面積が大きくなってしまう。
【０１３９】
この点、図１５の構成例では、電源回路６０と各出力セルの間に電源選択回路５０を介在させ、第１段階の電源選択としてＶＣＯＭＨ、ＶＣＯＭＬ、ＶＳＥＧＨ、ＶＳＥＧＬの選択を行わせる。こうすることで、各出力セルに設ける必要があるスイッチ素子の個数を、上述の比較例に比べて少なくでき、集積回路装置全体でのレイアウト面積を縮小化できる。
【０１４０】
６．制御回路
図１７に制御回路１０の具体的な構成例を示す。なお制御回路１０の構成は図１７の構成に限定されず、その構成要素の一部を省略したり、他の構成要素を追加するなどの種々の変形実施が可能である。
【０１４１】
制御回路１０は、コモン制御回路２０、セグメント制御回路３０、割り付け回路３８を含む。また表示メモリー４０のアドレスを制御するアドレス制御回路４２、タイミングコントローラー４４、レジスター部４６を含むことができる。
【０１４２】
コモン制御回路２０は、コモンデータの出力制御を行う。具体的には、タイミングコントローラー４４からのタイミング制御信号やレジスター部４６からの各種設定信号に基づいて、コモンタイミングのデコード処理等を行い、コモン信号の出力タイミングを決定する。そして図１６に示すようなコモン信号波形を実現するためのコモンデータを、割り付け回路３８に出力する。
【０１４３】
セグメント制御回路３０は、セグメントデータの出力制御を行う。具体的にはセグメント制御回路３０は、表示メモリー４０から読み出された表示データを受ける。そしてタイミングコントローラー４４からのタイミング制御信号やレジスター部４６からの各種設定信号に基づいて、セグメントデータについてのデコード処理を行い、表示データに対応するセグメントデータを、割り付け回路３８に出力する。
【０１４４】
割り付け回路３８は、コモン制御回路２０からのコモンデータ、セグメント制御回路３０からのセグメントデータの割り付け処理を行う。具体的には、出力セル（第１〜第ｎの出力セル）の入力データ信号に対して、コモンデータ又はセグメントデータの信号を割り付ける処理を行う。
【０１４５】
例えば割り付け回路３８は、第１の出力モードでは、図１５の出力セルＱＣ１の入力データ信号ＤＣ１に対してコモンデータの信号を割り付けて、信号ＤＣ１をコモンデータに対応する電圧レベル（Ｈレベル又はＬレベル）に設定する。これにより出力セルＱＣ１はコモン信号を出力できるようになる。
【０１４６】
また第２の出力モードでは、出力セルＱＣ１の入力データ信号ＤＣ１に対してセグメントデータの信号を割り付けて、信号ＤＣ１をセグメントデータに対応する電圧レベルに設定する。これにより出力セルＱＣ１はセグメント信号を出力できるようになる。
【０１４７】
同様に出力セルＱＣ２の入力データ信号ＤＣ２に対しても、第１の出力モードではコモンデータの信号を割り付け、第２の出力モードではセグメントデータの信号を割り付ける。一方、出力セルＱＣ４９の入力データ信号ＤＣ４９に対しては、第１の出力モードではセグメントデータの信号を割り付け、第２の出力モードではコモンデータの信号を割り付ける。
【０１４８】
表示メモリー４０（ＶＲＡＭ、画像メモリー）は、表示データ（画像データ）を記憶する。即ち１画面分に対応する表示データを記憶する。表示メモリー４０から読み出された表示データはセグメント制御回路３０に出力される。この表示メモリー４０は例えばＲＡＭにより構成される。そして、表示メモリー４０からの表示データの読み出しや、表示メモリーへの書き込みは、アドレス制御回路４２からのアドレス信号やタイミングコントローラー４４からのタイミング制御信号に基づいて行われる。なお表示メモリー４０は集積回路装置の内部に設けてもよいし、外部に設けてもよい。
【０１４９】
アドレス制御回路４２は、表示メモリー４０のアドレス制御を行う。即ち表示メモリー４０から表示データを読み出したり、表示メモリー４０に表示データを書き込むためのアドレス信号を出力する。このアドレス制御回路４２は、レジスター部４６からの各種設定信号や、タイミングコントローラー４４からのタイミング制御信号に基づいて動作する。
【０１５０】
レジスター部４６は、電気光学パネルの駆動制御や集積回路装置の各種制御のための各種レジスターを有する。コモン制御回路２０、セグメント制御回路３０、アドレス制御回路４２、タイミングコントローラー４４は、これらのレジスターに設定されたレジスター値に基づいて各種動作を行う。
【０１５１】
図１７の制御回路１０では、割り付け回路３８により、出力セルの入力データ信号に対して、コモンデータ又はセグメントデータを割り付ける処理（割り当てる処理）が行われる。従って、図１２〜図１４に示すような各種実装形態に応じて出力モードの切り替えが行われ、コモン信号を出力する出力セルの場所が変更された場合にも、これに容易に対応できるようになる。
【０１５２】
またアドレス制御回路４２が、図６（Ａ）、図６（Ｂ）で説明したようなアドレス制御を行うことで、図１３のような実装形態において、表示領域ＲＤ１とＲＤ２で文字が上下反転して見えてしまう事態を防止できる。
【０１５３】
また制御回路１０の左右反転回路３２が、図７（Ａ）、図７（Ｂ）で説明したような表示データ制御を行うことで、図１４のような実装形態において、表示領域ＲＤ１とＲＤ２で文字が左右反転して見えてしまう事態を防止できる。
【０１５４】
７．電子機器
図１８に本実施形態の集積回路装置２００を含む電子機器の例を示す。この電子機器は、集積回路装置２００、電気光学パネル２１０、操作部２２０、記憶部２３０、通信部２４０を含む。なおこれらの一部の構成要素を省略したり、他の構成要素を追加するなどの種々の変形実施が可能である。
【０１５５】
集積回路装置２００は、例えばマイクロコンピューター等であり、電気光学パネル２１０を駆動したり、電子機器の動作等に必要な各種の演算処理を行う。電気光学パネル２１０は、各種画像を表示するためのものであり、例えばＬＣＤ等により実現される。操作部２２０は、ユーザーが各種情報を入力するためのものであり、各種ボタン、キーボード等により実現される。記憶部２３０は、各種データを記憶するものであり、ＲＡＭやＲＯＭ等により実現される。通信部２４０は、外部との通信処理を行うものであり、無線や有線の通信用ＡＳＩＣ等により実現される。
【０１５６】
なお本実施形態により実現される電子機器としては、例えば時計、リモコン、携帯型情報端末、携帯電話機、各種家電装置等の種々の機器を想定できる。
【０１５７】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また本実施形態及び変形例の全ての組み合わせも、本発明の範囲に含まれる。また集積回路装置、電子機器の構成・動作や、出力セルの切り替え制御手法等も、本実施形態で説明したものに限定されず、種々の変形実施が可能である。
【符号の説明】
【０１５８】
ＲＤ１  第１の表示領域、ＲＤ２  第２の表示領域、
Ｑ１〜Ｑｎ、ＱＣ１〜ＱＣ８０、ＱＳ１〜ＱＳ１２８  出力セル、
ＲＱ、ＲＤ１〜ＲＤ６、ＲＥ１〜ＲＥ４、ＲＦ１〜ＲＦ６  出力セル領域、
ＳＷ１〜ＳＷ４  第１〜第４のスイッチ素子、ＰＤ  パッド、ＬＦＲ  フレーム信号、
１０  制御回路、２０  コモン制御回路、３０  セグメント制御回路、
３２  左右反転回路、４０  表示メモリー、４２  アドレス制御回路、
４４  タイミングコントローラー、４６  レジスター部、５０  電源選択回路、
５２  ロジック回路、６０  電源回路、７０  周辺回路、８０  ＣＰＵ、
１１０  駆動回路
【図１】
2010181707.tif 000003
【図２】
2010181707.tif 000004
【図３】
2010181707.tif 000005
【図４】
2010181707.tif 000006
【図５】
2010181707.tif 000007
【図６】
2010181707.tif 000008
【図７】
2010181707.tif 000009
【図８】
2010181707.tif 000010
【図９】
2010181707.tif 000011
【図１０】
2010181707.tif 000012
【図１１】
2010181707.tif 000013
【図１２】
2010181707.tif 000014
【図１３】
2010181707.tif 000015
【図１４】
2010181707.tif 000016
【図１５】
2010181707.tif 000017
【図１６】
2010181707.tif 000018
【図１７】
2010181707.tif 000019
【図１８】
2010181707.tif 000020